(57)【特許請求の範囲】
【請求項１】
表示光を照射する照射装置と、前記表示光を反射することにより虚像を表示するコンバイナと、前記コンバイナの下端側に設けられ、当該コンバイナを回転変位させて角度調整する回転変位手段と、を備えたヘッドアップディスプレイ装置において、
前記コンバイナの反射面上に当該コンバイナの回転中心軸が設定されており、前記コンバイナの下端の移動軌跡が前記回転中心軸を中心とした円弧となり、
前記回転変位手段が、
前記コンバイナの下方に配置され、前記回転中心軸を中心とした円弧に沿って複数の歯が設けられたラックと、
前記コンバイナに回転自在に支持され、前記ラックと噛み合うピニオンと、
前記ピニオンを回転させる駆動手段と、を備えている
ことを特徴とするヘッドアップディスプレイ装置。
【請求項２】
前記回転変位手段が、前記コンバイナに回転自在に支持され、前記ピニオンとの間に前記ラックを挟むローラをさらに備えている
ことを特徴とする請求項１に記載のヘッドアップディスプレイ装置。
【発明の詳細な説明】
【技術分野】
【０００１】
本発明は、自動車のインストルメントパネル等に取り付けられて、車両情報やナビゲーション情報などを表示するヘッドアップディスプレイ装置に関するものである。
【背景技術】
【０００２】
コンバイナを回転変位させて角度調整する回転変位手段を備えたヘッドアップディスプレイ装置としては種々のものが提案されている。一従来例として、図５，６に示されたヘッドアップディスプレイ装置について説明する。図５は、従来のヘッドアップディスプレイ装置の概略構成を示す断面図であり、図６は、図５に示されたコンバイナを回転変位させた状態を示す断面図である。
【０００３】
図５，６に示すヘッドアップディスプレイ装置２０１は、自動車のインストルメントパネルに取り付けられて、車両情報やナビゲーション情報などを表示するものであり、表示光を照射する照射装置２０２と、表示光を反射することにより虚像を表示するコンバイナ２０３と、コンバイナ２０３の下端側に設けられ、当該コンバイナ２０３を回転変位させて角度調整する回転変位手段２０４と、照射装置２０２や回転変位手段２０４を収容したハウジング２０９と、を備えている。
【０００４】
上記照射装置２０２から照射された表示光は、ハウジング２０９の開口部２９１を通ってコンバイナ２０３に反射し、ドライバーの目に届く。また、図５，６中のＥは、ドライバーの目の位置を表しており、Ｌ11，Ｌ12は、照射装置２０２から照射された表示光の道筋を表している。
【０００５】
上記コンバイナ２０３は、半透過性の反射部材であり、板状に形成されている。コンバイナ２０３は、開口部２９２を通されてハウジング２０９外に位置付けられている。
【０００６】
上記回転変位手段２０４は、モータ、ピニオン軸、複数のピニオン等で構成されており、図６に示すように、回転中心軸２０５を中心としてコンバイナ２０３を回転変位させる。すなわち、コンバイナ２０３は、その下端に配置された回転中心軸２０５を中心として回転変位する。
【０００７】
このような回転変位手段２０４を備えたヘッドアップディスプレイ装置２０１においては、ドライバーの目の位置Ｅが低い場合は、図５に示すようにコンバイナ２０３をドライバー側に傾けるようにし、ドライバーの目の位置Ｅが高い場合は、図６に示すようにコンバイナ２０３をドライバーから離れた側に傾けるようにして、表示光がドライバーの視点に届くように角度調整を行う（特許文献１を参照。）。
【先行技術文献】
【特許文献】
【０００８】
【特許文献１】特開２００５−２０６０４７号公報
【発明の概要】
【発明が解決しようとする課題】
【０００９】
しかしながら、上述した従来のヘッドアップディスプレイ装置２０１においては、以下に示す問題があった。すなわち、ヘッドアップディスプレイ装置２０１においては、回転中心軸２０５がコンバイナ２０３の下端に配置されているので、ドライバーの最適な目の位置にコンバイナ２０３を回転させると、図６に示すように、表示光の反射位置が前後方向及び上下方向の双方において変化し（前後方向の変化量をＤで示し、上下方向の変化量をＨで示す。）、虚像に歪みが生じてしまうという問題があった。
【００１０】
なお、特開２００５−２９７６１９号公報には、反射ミラーの背面側かつ上下方向中央部に回転軸部材を配置する技術が開示されている。この技術を上記ヘッドアップディスプレイ装置２０１に適用しようとした場合、コンバイナ２０３の角度を変更することによる虚像の歪みは低減できるものの、前記回転軸部材がドライバーの前方視界を遮ることとなるので好ましくない。
【００１１】
したがって、本発明は、コンバイナの角度を変更しても表示される虚像に歪みが生じ難いヘッドアップディスプレイ装置を提供することを目的とする。
【課題を解決するための手段】
【００１２】
上記目的を達成するために請求項１に記載された発明は、表示光を照射する照射装置と、前記表示光を反射することにより虚像を表示するコンバイナと、前記コンバイナの下端側に設けられ、当該コンバイナを回転変位させて角度調整する回転変位手段と、を備えたヘッドアップディスプレイ装置において、前記コンバイナの反射面上に当該コンバイナの回転中心軸が設定されており、前記コンバイナの下端の移動軌跡が前記回転中心軸を中心とした円弧となり、前記回転変位手段が、前記コンバイナの下方に配置され、前記回転中心軸を中心とした円弧に沿って複数の歯が設けられたラックと、前記コンバイナに回転自在に支持され、前記ラックと噛み合うピニオンと、前記ピニオンを回転させる駆動手段と、を備えていることを特徴とするヘッドアップディスプレイ装置である。
【００１４】
請求項２に記載された発明は、請求項１に記載された発明において、前記回転変位手段が、前記コンバイナに回転自在に支持され、前記ピニオンとの間に前記ラックを挟むローラをさらに備えていることを特徴とするものである。
【発明の効果】
【００１５】
請求項１に記載された発明によれば、前記コンバイナの反射面上に当該コンバイナの回転中心軸が設定されており、前記コンバイナの下端の移動軌跡が前記回転中心軸を中心とした円弧となるので、コンバイナの角度を変更しても反射面上における表示光の反射位置がほとんど変化せず、表示される虚像の歪みを低減できる。よって、歪んだ虚像を誤認してしまうことや、歪んだ虚像を見ることによる疲労を防止でき、安全運転に寄与できる。また、歪みを補正した非球面コンバイナを必要とせず、コストダウンが図れる。加えて、回転変位手段がコンバイナの下端側に設けられているので、回転変位手段によってドライバーの前方視界を遮ることがなく、安全運転に寄与できる。
【００１６】
請求項２に記載された発明によれば、前記回転変位手段が、前記コンバイナに回転自在に支持され、前記ピニオンとの間に前記ラックを挟むローラをさらに備えているので、コンバイナが回転する際のラックとの摩擦力を小さくすることができる。
【図面の簡単な説明】
【００１７】
【図１】本発明の一実施の形態にかかるヘッドアップディスプレイ装置が自動車に搭載された状態を示す図である。
【図２】図１に示されたヘッドアップディスプレイ装置の主要部品の斜視図である。
【図３】図１に示されたヘッドアップディスプレイ装置の概略構成を示す断面図である。
【図４】図３に示されたコンバイナを回転変位させた状態を示す断面図である。
【図５】従来のヘッドアップディスプレイ装置の概略構成を示す断面図である。
【図６】図５に示されたコンバイナを回転変位させた状態を示す断面図である。
【発明を実施するための形態】
【００１８】
本発明の一実施の形態にかかる「ヘッドアップディスプレイ装置」を図１〜４を用いて説明する。
【００１９】
図１に示すように、ヘッドアップディスプレイ装置１は、自動車のインストルメントパネル１０に取り付けられて、車両情報やナビゲーション情報などを表示するものである。このヘッドアップディスプレイ装置１は、図２，３に示すように、表示光を照射する照射装置２と、表示光を反射することにより虚像（前記各種情報）を表示するコンバイナ３と、コンバイナ３の下端側に設けられ、当該コンバイナ３を回転変位させて角度調整する回転変位手段４と、照射装置２や回転変位手段４を収容したハウジング９と、を備えている。
【００２０】
上記照射装置２から照射された表示光は、ハウジング９の開口部９１及びインストルメントパネル１０の開口部１０ａを通ってコンバイナ３に反射し、ドライバーの目に届く。また、図３，４中のＥは、ドライバーの目の位置を表しており、図１〜４中のＬ1，Ｌ2は、照射装置２から照射された表示光の道筋を表している。
【００２１】
上記コンバイナ３は、ハウジング９外に位置付けられる板状の反射部３０と、反射部３０の下端に取り付けられたベース部３１と、で構成されている。
【００２２】
上記反射部３０は、ハウジング９の開口部９２及びインストルメントパネル１０の開口部１０ａを通って、フロントガラスとドライバーとの間の位置に立設している。また、反射部３０は、半透過性を有しており、ドライバーが当該反射部３０を通して車両前方を目視することができるように形成されている。
【００２３】
また、本発明のヘッドアップディスプレイ装置１は、ドライバーの前方視界を遮らないように、反射部３０の左右両側、上側、裏側（フロントガラス側）に反射部３０の保持部材や回転軸部材等を配置していない。すなわち、本発明では、ドライバーの前方視界を遮らないように、回転変位手段４をコンバイナ３の下端側に設けている。
【００２４】
また、本発明のヘッドアップディスプレイ装置１は、コンバイナ３の回転中心軸Ｐが反射部３０の反射面（ドライバー側の面）３０ａ上に設定されており、コンバイナ３の下端の移動軌跡Ｎが回転中心軸Ｐを中心とした半径Ｒの円の円弧とされている。このような構成のヘッドアップディスプレイ装置１は、図４に示すようにコンバイナ３の角度を変更しても反射面３０ａ上における表示光の反射位置がほとんど変化せず、表示される虚像の歪みを低減できる。よって、ドライバーが歪んだ虚像を誤認してしまうことや、歪んだ虚像を見ることにより疲労することを防止でき、安全運転に寄与できる。また、歪みを補正した非球面コンバイナを必要とせず、コストダウンが図れる。また、前記「回転中心軸Ｐ」とは、コンバイナ３が回転する際に中心となる直線である。
【００２５】
上記回転変位手段４は、コンバイナ３の下方に配置され、回転中心軸Ｐを中心とした円弧に沿って複数の歯５１が設けられたラック５と、ベース部３１に回転自在に支持され、ラック５と噛み合うピニオン６と、ピニオン６を回転させる駆動手段７と、ベース部３１に回転自在に支持され、ピニオン６との間にラック５を挟むとともにラック５の表面を転がるローラ８と、を備えている。また、前記駆動手段７は、モータ７０と、モータ７０の出力軸とピニオン６との間に架け渡されたピニオン軸７１と、で構成されている。
【００２６】
また、回転変位手段４は、図２に示すように、ラック５がコンバイナ３の左右両端位置に一対設けられ、各ラック５に対して１つずつピニオン６が設けられ、各ラック５に対して２つずつローラ８が設けられ、モータ７０が共通で１つ設けられ、この１つのモータ７０によって一対のピニオン６が回転される構成となっている。また、一対のラック５はハウジング９に固定されており、モータ７０はベース部３１に固定されている。
【００２７】
また、本発明の回転変位手段４において、上記ローラ８は必須の構成ではないが、構成に含めることにより、コンバイナ３が回転する際のラック５との摩擦力を小さくすることができる。
【００２８】
このような回転変位手段４を備えたヘッドアップディスプレイ装置１においては、ドライバーの目の位置Ｅが低い場合は、図４中に点線で示すようにコンバイナ３をドライバー側に傾けるようにし（その際の表示光の道筋を点線Ｌ1で示す。）、ドライバーの目の位置Ｅが高い場合は、図４中に実線で示すようにコンバイナ３をドライバーから離れた側に傾けるようにして（その際の表示光の道筋を二点鎖線Ｌ2で示す。）、表示光がドライバーの視点に届くように角度調整を行う。また、図４に示すように、ヘッドアップディスプレイ装置１においては、コンバイナ３の角度を変更しても反射面３０ａ上における表示光の反射位置がほぼ同じ位置となるので、表示される虚像の歪みを低減できる。
【００２９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３０】
１  ヘッドアップディスプレイ装置
２  照射装置
３  コンバイナ
４  回転変位手段
５  ラック
６  ピニオン
７  駆動手段
８  ローラ
３０ａ  反射面
５１  歯
Ｐ  回転中心軸
Ｎ  移動軌跡
【図１】
0005916093.tif 000002
【図２】
0005916093.tif 000003
【図３】
0005916093.tif 000004
【図４】
0005916093.tif 000005
【図５】
0005916093.tif 000006
【図６】
0005916093.tif 000007